(57)【特許請求の範囲】
【請求項１】
全開位置と本体の開口を塞ぐ閉じ位置とに亘る回動可能にこの本体に組み合わされるリッドを備え、
このリッドには、蓋部と、この蓋部から延設されたアーム部とが備えられており、
本体には、このアーム部をスライド可能に支持する支持部が回動可能に設けられていると共に、この支持部の側方にはガイド部が設けられており、
アーム部に設けられた被ガイド部のガイド部による案内によって、リッドが所望の軌跡に沿って回動されるようになっていることを特徴とするリッド装置。
【請求項２】
支持部の回動に制動を付与するダンパー装置を備えていることを特徴とする請求項１に記載のリッド装置。
【請求項３】
支持部に、この支持部の回動軸線に直交する向きに延び且つ溝両端を支持部の端部において開放させたスライド用溝が形成されており、
このスライド用溝にリッドのアーム部がスライド可能に入れ込まれていると共に、
このスライド用溝からのアーム部の抜け出し阻止手段が備えられていることを特徴とする請求項１又は請求項２に記載のリッド装置。
【請求項４】
ガイド部が、その始端と終端とを結ぶ仮想の直線に対する傾きを異ならせる複数のレーン部分を組み合わせて一条に連続させてなることを特徴とする請求項１〜請求項３のいずれか１項に記載のリッド装置。
【発明の詳細な説明】
【技術分野】
【０００１】
この発明は、本体の開口を開放可能に閉塞するリッド装置の改良に関する。
【背景技術】
【０００２】
蓋体の軸板に設けた二箇所のピンをそれぞれ、本体のガイド凹部に入れ込ませ、蓋体の回動の途中でその回動中心となるピンを変えるようにして、つまり、蓋体の回動を一軸を中心とした単純な円運動にしないようにして、特に開放時に蓋体を邪魔にならないように本体の背面に納めるようにしたものがある。（特許文献１参照）
【０００３】
しかるに、特許文献１のものにあっては、蓋体は二箇所のピンをもって支持、ガイドされるため、この二箇所のピンにかかる負担は大きく、また、組み立て時には、この二箇所のピンをガイド凹部にそれぞれ入れ込ませる必要がある。また、蓋体の回動中心が変化するために、ピニオンの回転に制動力を作用させるダンパー装置にかみ合うラックをこの蓋体側には単純に設けがたく、こうしたダンパー装置を利用し難いものであった。
【特許文献１】特開２００２−８７１６８号公報
【発明の開示】
【発明が解決しようとする課題】
【０００４】
この発明が解決しようとする主たる問題点は、この種の装置において、簡素な構造をもって、リッドを所望される軌跡に沿って回動できるようにする点にある。
【課題を解決するための手段】
【０００５】
前記課題を達成するために、この発明にあっては、リッド装置を、以下の（１）〜（４）この構成を備えたものとした。
（１）全開位置と本体の開口を塞ぐ閉じ位置とに亘る回動可能にこの本体に組み合わされるリッドを備え、
（２）このリッドには、蓋部と、この蓋部から延設されたアーム部とが備えられており、
（３）本体には、このアーム部をスライド可能に支持する支持部が設けられていると共に、この支持部の側方にはガイド部が設けられており、
（４）アーム部に設けられた被ガイド部のガイド部による案内によって、リッドが所望の軌跡に沿って回動されるようになっている。
【０００６】
かかるリッド装置にあっては、本体側に備えられた支持部によってリッドを回動可能に支持させながら、ガイド部に被ガイド部を案内させることで支持部に対してアーム部をスライド移動させてリッドの前端と後端の移動軌跡を、リッド装置の据え付けられる箇所の周囲のスペースの多寡などに応じて、規則的に変化させることができる。かかる移動軌跡は、ガイド部の形状を変えることで、容易に調整可能となる。また、かかる機能は、リッドに被ガイド部を備えたアーム部を備えさせ、本体にこのアーム部をスライド移動可能に支持させる支持部とガイド部を備えさせることをもって不足なく実現できることから、機構的に簡素であり、故障しがたく、小型化しやすく、組み立ても容易となる。
【０００８】
支持部は、回動可能に本体側に備えさせておくこともある。支持部を回動可能に本体に備えさせた場合は、支持部を例えば正転方向に付勢することによりリッドの例えば開く向きの回動を強制的に行わせることができ、また、支持部の回動に制動を付与するダンパー装置によって支持部の回動に制動を付与することをもって、リッドの回動に制動を付与することができる。
【０００９】
ガイド部を、その始端と終端とを結ぶ仮想の直線に対する傾きを異ならせる複数のレーン部分を組み合わせて一条に連続させてなるようにしておけば、このガイド部によって支持部と被ガイド部との距離をリッドの回動の過程で変化させてリッドを所望の軌跡に沿って回動させることができる。
【００１０】
支持部に、この支持部の回動軸線に直交する向きに延び且つ溝両端を支持部の端部において開放させたスライド用溝を形成させ、このスライド用溝にリッドのアーム部をスライド可能に入れ込ませると共に、このスライド用溝からのアーム部の抜け出し阻止手段を備えさせておけば、前記ガイド部に被ガイド部を納めながら支持部のスライド用溝にアーム部を納めることで、容易に本体とリッドとを前記機能を有するように組み合わせることができる。
【発明の効果】
【００１１】
この発明にかかるリッド装置にあっては、リッドは、本体の支持部にアーム部を支持させ、本体のガイド部に被ガイド部を案内させて本体に安定的に支持され、また、被ガイド部は一箇所であり本体に対するリッドの組み合わせも容易となる。
【発明を実施するための最良の形態】
【００１２】
以下、図１〜図６に基づいて、この発明を実施するための最良の形態について説明する。
【００１３】
なお、ここで図１および図４はリッドＬが全開位置にあるときのリッド装置の様子を、図２はリッドＬが閉じ位置にあるときのリッド装置の様子を、図３はリッドＬが半開位置にあるときのリッド装置の様子を、それぞれ示している。図５はかかるリッド装置を上方から見て、図６はかかるリッド装置を前方から見て、それぞれ示している。
【００１５】
この実施の形態にかかるリッド装置は、簡素な構造をもって、リッドＬを所望される軌跡に沿って回動できるようにしたものである。
【００１６】
かかるリッド装置は、開口６を備えた本体Ｃと、全開位置とかかる本体Ｃの開口６を塞ぐ閉じ位置とに亘る回動可能にこの本体Ｃに組み合わされるリッドＬとを備えてなる。
【００１７】
図示の例では、かかる本体Ｃは、上面を開放させた箱状をなすように構成されている。かかる本体Ｃは、幅広の前板部７と後板部８を備えると共に、幅狭の左右板部９、９を備えており、略長方形の開口縁形状を持った開口６を有している。前板部７の上部であってその左右方向略中程の位置には、下方に押し込めるボタン１０ａと、本体Ｃ内に突き出す爪１０ｂとを備え、図示しない付勢手段によってボタン１０ａを上方に、爪１０ｂを本体Ｃ内に突き出す向きに付勢すると共に、このボタン１０ａと爪１０ｂとをかかる付勢に抗してボタン１０ａを押し込むと爪１０ｂを引き込ませるように連係させてなるラッチ装置１０が設けられている。そして、図示の例では、前記リッドＬの前端１に形成された掛合凹所３にこのリッドＬを閉じ位置に回動操作させることに伴ってこの掛合凹所３の縁部への突き当たりによって前記付勢に抗して爪１０ｂを一旦引き込ませた後に、この付勢により爪１０ｂを再び突き出させて掛合凹所３に引っかけさせて、かかるリッドＬが閉じ位置にある状態を維持させるようにしている。そして、このリッドＬが閉じ位置にある状態は、前記ボタン１０ａの押し込みによる爪１０ｂの引き込みによって解かれるようになっている。図示の例では、このようにラッチ装置１０によるリッドＬの掛止が解除されると、後述するリッドＬに対する付勢手段の付勢により、リッドＬは強制的に回動開かれるようになっている。
【００１８】
また、図示の例では、本体Ｃの後板部８の後方には、この後板部８との間に前後に隙間１２を開けるようにして下方から立ち上がる外壁部１１が形成されており、閉じ位置から開き位置に向けて回動されるリッドＬはその過程でこの隙間１２にリッドＬの後端２側から入り込み、（図３）開き位置において起立状態になってこの隙間１２内にその後端２側を納めるようになっている。（図４）
【００１９】
かかる本体Ｃに、後述するリッドＬのアーム部５をスライド可能に支持する支持部１３が設けられていると共に、この支持部１３の側方にかかるアーム部５に設けられた被ガイド部５ｄを案内するガイド部１４が備えられている。
【００２０】
図示の例では、かかる支持部１３とガイド部１４は、本体Ｃの左右板部９、９にそれぞれ設けられている。
【００２１】
図１〜図６に示される例にあっては、かかる支持部１３は、円板状の頭部１３ａと、この頭部１３ａの一面側から突き出すように備えられる軸部１３ｂとを備えており、この軸部１３ｂを本体Ｃの左右板部９、９に貫通状態に設けた軸穴９ａに本体Ｃの外側から入れ込み回動可能に組み付けることで、本体Ｃに備えられている。図示の例では、かかる軸部１３ｂをバネ巻回部に通すと共に、バネ一端をかかる支持部１３に止め、かつ、バネ他端を本体Ｃ側に止めたねじりコイルバネ１５によって、この支持部１３を図２における時計回りの向きに付勢させており、このねじりコイルバネ１５の作用によりリッドＬの前記強制的な回動がなされるようになっている。すなわち、この例では、かかるねじりコイルバネ１５が前記リッドＬの付勢手段として機能するようになっている。本体Ｃの左板部９に備えられた支持部１３の軸部１３ｂと、本体Ｃの右板部９に備えられた支持部１３の軸部１３ｂ（図１においてその図示は省略する。）とは、その軸中心線を本体Ｃの左右方向に沿った同一の直線上に位置させている。
【００２２】
また、かかる支持部１３には、この支持部１３の回動軸線（前記軸部１３ｂの軸中心線）に直交する向きに長く続き且つ溝両端を支持部１３の端部において開放させたスライド用溝１３ｃが形成されている。図示の例では、かかるスライド用溝１３ｃは、支持部１３の頭部１３ａにおける軸部１３ｂの形成側と反対の側に形成されており、かかる支持部１３の回動中心１３ｊを通る直線上の溝として構成され、また、溝両端１３ｄ、１３ｅをそれぞれ、円板状をなす頭部１３ａの周端部１３ｈにおいて外方に開放させている。
【００２３】
かかるスライド用溝１３ｃに前記リッドＬの後述するアーム部５がスライド可能に入れ込まれている。また、このスライド用溝１３ｃからのアーム部５の抜け出し阻止手段が備えられている。
【００２４】
図示の例では、スライド用溝１３ｃの溝一端１３ｄ側には、スライド用溝１３ｃの両溝壁１３ｆ、１３ｆの一部が、弾性掛合片１３ｇによって構成されるようにしてある。この弾性掛合片１３ｇは、その自由端側をスライド用溝１３ｃの溝一端１３ｄ側の開放箇所に向けていると共に、この自由端側をスライド用溝１３ｃの内方にやや入り込ませるように形成されている。そして、図示の例では、リッドＬのアーム部５におけるアーム先端５ａであって、スライド用溝１３ｃの溝壁１３ｆに向けられるアーム側部にそれぞれ、アーム基部５ｃ側に掛合部を向けた突起５ｂが形成されており、スライド用溝１３ｃの溝他端１３ｅ側からのアーム部５の入れ込みが、かかる突起５ｂによる弾性掛合片１３ｇの外側への撓み出させにより許容されると共に、この弾性掛合片１３ｇの自由端よりも先に突起５ｂを位置させる位置までアーム部５が入れ込まれたときの弾性掛合片１３ｇの弾性復帰によって突起５ｂに弾性掛合片１３ｇの自由端が引っかかり、このように一度入れ込まれたアーム部５はスライド用溝１３ｃの溝他端１３ｅ側から抜け出すことがないようになっている。すなわち、図示の例では、かかる突起５ｂと前記弾性掛合片１３ｇとによって前記抜け出し阻止手段を構成させている。
【００２５】
また、図示の例では、支持部１３を構成する頭部１３ａの周端部１３ｈのうち、スライド用溝１３ｃを挟んで下方に位置される箇所にラック１３ｉが形成されていると共に、支持部１３の下方にこのラック１３ｉにかみ合うピニオン１６ｃを備えたダンパー装置１６が備えられている。
【００２６】
かかるダンパー装置１６は、本体Ｃの左右板部９、９に取り付けられるステーター体１６ａと、このステーター体１６ａに回転可能に組み合わされたローター体１６ｂとを備えている。ローター体１６ｂの回転軸線は、支持部１３の回動軸線に平行をなしている。また、ステーター体１６ａ内にはローター体１６ｂの回転に粘性抵抗を与えるシリコンオイルなどの図示しない粘性流体が封入されており、ローター体１６ｂの回転に制動が付与されるようになっている。ピニオン１６ｃはかかるローター体１６ｂに備えられており、これにより図示の例では、リッドＬの回動がダンパー装置１６によって支持部１３を介してゆっくりとなされるようになっている。
【００２７】
ガイド部１４は、本体Ｃの左右板部９、９においてそれぞれ、支持部１３と後板部８との間となる位置に形成されている。図示の例では、かかるガイド部１４は、その始端１４ａと終端１４ｂとを結ぶ仮想の直線ｘに対する傾きを異ならせる複数のレーン部分１４ｃ、１４ｄを組み合わせて一条に連続させて形成されている。具体的には、図示の例では、ガイド部１４は左右板部９、９の外面に刻設された溝状をなすように構成され、その始端１４ａを上方に位置させ、その終端１４ｂを下方に位置させて上下方向に長く続いている。図示の例では、ガイド部１４は、支持部１３の回動中心１３ｊ位置を通る仮想の水平線ｙと交叉する中間位置１４ｅまではこの中間位置１４ｅに近づくに連れて次第に支持部１３の回動中心１３ｊに近づくように形成され、この中間位置１４ｅにおいて支持部１３の回動中心１３ｊにもっとも近づき、一方、この中間位置１４ｅから終端１４ｂまではこの終端１４ｂに近づくに連れて次第に支持部１３の回動中心１３ｊから次第に離れるように形成されており、前記仮想の直線ｘに対する傾きを異ならせる上レーン部分１４ｃと下レーン部分１４ｄとを上レーン部分１４ｃの下端に下レーン部分１４ｄの上端を連通させることで構成されている。
【００２８】
また、図示の例では、ガイド部１４の始端１４ａと左右板部９、９の後方に向けられた縁部との間に亘って、アーム部５の後述する被ガイド部５ｄの導入溝１７が形成されており、図２に示されるようにスライド用溝１３ｃの溝他端１３ｅを後方であって前記仮想の水平線ｙよりも上方に位置づけさせた支持部１３に対して、そのスライド用溝１３ｃにリッドＬのアーム部５を上方から入れ込みながら導入溝１７を通じてガイド部１４に被ガイド部５ｄを入れ込んで本体Ｃ側にリッドＬをワンタッチで組み合わせることができ、さらにこの組み合わせ状態を前記抜け出し阻止手段によって維持するようになっている。
【００２９】
リッドＬは、蓋部４と、この蓋部４から延設されたアーム部５とを備えている。
【００３０】
図示の例では、蓋部４は、本体Ｃの開口６を塞ぐ大きさを備えた略長方形の板状をなすように構成されている。
【００３１】
一方、アーム部５は、リッドＬの左右にそれぞれ備えられている。具体的には、アーム部５は、リッドＬの後端２となる蓋部４における後辺４ａと蓋部４の左右両辺４ｂ，４ｂとが接し合うコーナー部にアーム基部５ｃを一体に連接させるようにして蓋部４と一体に形成されている。各アーム部５は本体Ｃの支持部１３のスライド用溝１３ｃの溝内に隙間少なく収まる幅を備えるように構成されている。また、一対のアーム部５、５間のピッチは、本体Ｃに備えられた左右の支持部１３のスライド用溝１３ｃの溝底間のピッチと略等しくなうように構成されている。
【００３２】
アーム部５のアーム基部５ｃは、蓋部４の下面に対し略直交する向きに突き出している。アーム部５は、このアーム基部５ｃの下端からリッドＬの前端１となる蓋部４の前辺４ｃ側に向けて突きだし、かつ、アーム先端５ａに向かうに連れて次第に蓋部４の下面から離れるように形成され、蓋部４の後辺４ａ側から前辺４ｃ側に斜めに延びる。アーム部５のアーム基部５ｃの下端からアーム先端５ａまでの寸法はスライド用溝１３ｃの長さよりも長くなるように構成されている。
【００３３】
また、アーム部５には、前記ガイド部１４に案内される被ガイド部５ｄが形成されている。図示の例では、被ガイド部５ｄは、アーム部５における他方のアーム部５に向き合う側であって、アーム部５のアーム基部５ｃの下端とアーム先端５ａとの間において、この下端近傍に形成された短寸円柱状体として構成されている。この被ガイド部５ｄの径は溝状のガイド部１４の溝幅と略等しくなっている。
【００３４】
そして、この実施の形態にあっては、かかるガイド部１４による案内によって、リッドＬが所望の軌跡に沿って回動されるようになっている。具体的には、前記ガイド部１４の形状によって、リッドＬが閉じ位置にあるときは、アーム部５は支持部１３のスライド用溝１３ｃから後方にもっとも抜け出した状態に前記上レーン部分１４ｃによって位置づけられ、（図２）この状態からリッドＬが全開位置に向けて往動回動されると、上レーン部分１４ｃによって被ガイド部５ｄは次第に支持部１３の回動中心１３ｊに近づく向きに案内されて、リッドＬの半開位置において被ガイド部５ｄはガイド用溝の中間位置１４ｅにあってアーム部５は前方にもっともスライド移動され、リッドＬの後端２は本体Ｃの後板部８と外壁部１１との間に入り込み、（図３）この半開位置から全開位置に向けてさらにリッドＬが往動回動されると、下レーン部分１４ｄによって被ガイド部５ｄは次第に支持部１３の回動中心１３ｊから離れる向きに案内されて、リッドＬの全開位置において被ガイド部５ｄはガイド用溝の終端１４ｂにあってアーム部５はスライド用溝１３ｃから中間位置１４ｅのときよりも抜け出しリッドＬは蓋部４を直立させて、本体Ｃの後板部８と外壁部１１との間にその前端１側を除いて納められる。（図４）すなわち、図示の例では、かかるガイド部１４の形状によって、閉じ位置から全開位置に往動回動される途中ではリッドＬの後端２を前方（リッドＬの開き始め側）に移動させると共に、全開位置においては起立されたリッドＬの上端となる前端１と本体Ｃの開口６との間のピッチができるだけ小さくできるようになっている。
【００３５】
以上に説明したリッド装置にあっては、本体Ｃ側に備えられた支持部１３によってリッドＬを回動可能に支持させながら、ガイド部１４に被ガイド部５ｄを案内させることで支持部１３に対してアーム部５をスライド移動させてリッドＬの前端１と後端２の移動軌跡を、リッド装置の据え付けられる箇所の周囲のスペースの多寡などに応じて、規則的に変化させることができる。かかる移動軌跡は、ガイド部１４の形状を変えることで、容易に調整可能となる。また、かかる機能は、リッドＬに被ガイド部５ｄを備えたアーム部５を備えさせ、本体Ｃにこのアーム部５をスライド移動可能に支持させる支持部１３とガイド部１４を備えさせることをもって不足なく実現できることから、機構的に簡素であり、故障しがたく、小型化しやすく、組み立ても容易となる。
【００３６】
また、図１〜図６に示される例では、支持部１３は、回動可能に本体Ｃ側に備えられていることから、支持部１３を例えば正転方向に付勢することによりリッドＬの例えば開く向きの回動を強制的に行わせることができ、また、支持部１３の回動に制動を付与することをもって、リッドＬの回動に制動を付与することができる。
【図面の簡単な説明】
【００３８】
【図１】リッド装置の斜視構成図
【図２】同側面構成図
【図３】同側面構成図
【図４】同側面構成図
【図５】同平面構成図
【図６】同正面構成図
【符号の説明】
【００３９】
Ｌ  リッド
４  蓋部
５  アーム部
５ｂ  被ガイド部
６  開口
１３  支持部
１４  ガイド部
【図１】
0005134388.tif 000002
【図２】
0005134388.tif 000003
【図３】
0005134388.tif 000004
【図４】
0005134388.tif 000005
【図５】
0005134388.tif 000006
【図６】
0005134388.tif 000007